(57)【要約】【課題】  携帯電話機に保存している画像ファイルに関する情報を、携帯電話機に記憶させることができない。【解決手段】  ユーザがキー操作部７を操作して、制御部１に、画像ファイルに対応付けて、画像ファイルに関する情報であるメモデータをメモリ部６に記憶させる。すると、画像ファイルに関する情報を携帯電話機１０に記憶させることができるため、携帯電話機１０のユーザは、画像ファイルに関する情報を閲覧することができる。また、ユーザがキー操作部７を操作して、制御部１に、メモリ部６が記憶しているメモデータを削除させる。【選択図】  図１
2005252373.tif 000002
【特許請求の範囲】
【請求項１】
画像データを記憶する画像データ記憶手段と、
画像データに関する情報であるメモデータを記憶するメモデータ記憶手段と、
画像データとメモデータとを対応付ける制御手段と
を備えたことを特徴とする携帯通信端末。
【請求項２】
制御手段は、ユーザの操作に応じて、メモデータに関するメニューとともに、画像データ記憶手段に記憶されている画像データを示す情報を表示部に一覧表示させる一覧表示制御手段と、ユーザのメニュー選択操作に応じて、ユーザにメモデータに関する入力を行なわせるメモデータ入力画面を前記表示部に表示させるメモデータ入力画面表示手段とを含む
請求項１記載の携帯通信端末。
【請求項３】
制御手段は、入力されたメモデータに関する情報を、メニュー選択操作の際に指定されている画像データに対応付ける
請求項１または請求項２記載の携帯通信端末。
【請求項４】
制御手段は、メモデータを削除することを示す情報の入力に応じて、メニュー選択操作の際に指定されている画像データに対応付けられているメモデータをメモデータ記憶手段から削除する
請求項３記載の携帯通信端末。
【請求項５】
制御手段は、インターネットを介して画像データをダウンロードし、ダウンロードした画像データのＵＲＬをメモデータとしてメモデータ記憶手段に記憶させる
請求項１から請求項４のうちいずれか１項記載の携帯通信端末。
【請求項６】
画像を撮影して画像データを生成する撮影手段を備え、
制御手段は、前記撮影手段が生成した画像データを画像データ記憶手段に記憶させる
請求項１から請求項５のうちいずれか１項記載の携帯通信端末。
【発明の詳細な説明】
【技術分野】
【０００１】
本発明は、携帯通信端末の画像保存機能に関し、特に、画像データの情報を保存する携帯通信端末に関する。
【背景技術】
【０００２】
従来の携帯電話機やＰＨＳ（Ｐｅｒｓｏｎａｌ  Ｈａｎｄｙ  Ｐｈｏｎｅ  Ｓｙｓｔｅｍ）端末（以下、携帯通信端末という。）は、画像データを保存する画像保存機能を備えている。
【０００３】
従来の携帯通信端末の画像保存機能は、画像データおよび保存日時の情報を含む画像ファイルを作成し、自動的に画像ファイル名を生成して携帯通信端末内の記憶手段に記憶する。
【０００４】
なお、特許文献１には、通信回線を介して画像データと付加情報とを受信すると、画像データと付加情報とを対応付けて蓄積するシステムが記載されている。
【０００５】
また、特許文献２には、画像データが添付された電子メールを受信すると、画像データと、電子メールの文字データとを合成表示する携帯端末が記載されている。
【０００６】
【特許文献１】特開２００２−７３６１９号公報  （段落（００２７）〜（００２８）、図１）
【特許文献２】特開２００２−２８８０８２号公報  （段落（００１２）〜（００２７）、図１）
【発明の開示】
【発明が解決しようとする課題】
【０００７】
従来の携帯通信端末が搭載している画像保存機能は、画像を撮影して生成した画像データや、インターネット等を介して受信した画像データと、保存日時とを含む画像ファイルを作成し、自動的に画像ファイル名を生成して携帯通信端末内の記憶手段に記憶し、さらに、ユーザが画像ファイル名を編集する機能もあるが、画像データの詳細な説明を記憶することができない。そのため、記憶した画像データが、どこでどのような時に保存されたのかがわかりずらい。
【０００８】
そこで、本発明は、記憶している画像データに関する情報を画像データと対応付けて記憶する携帯通信端末を提供することを目的とする。
【課題を解決するための手段】
【０００９】
本発明による携帯通信端末は、画像データを記憶する画像データ記憶手段と、画像データに関する情報であるメモデータを記憶するメモデータ記憶手段と、画像データとメモデータとを対応付ける制御手段とを備えたことを特徴とする。
【００１０】
制御手段は、ユーザの操作に応じて、メモデータに関するメニューとともに、画像データ記憶手段に記憶されている画像データを示す情報を表示部に一覧表示させる一覧表示制御手段と、ユーザのメニュー選択操作に応じて、ユーザにメモデータに関する入力を行なわせるメモデータ入力画面を前記表示部に表示させるメモデータ入力画面表示手段とを含んでもよい。そのような構成によれば、ユーザは、画像データを示す情報の一覧表示を見て、画像データに対応付けるメモデータを入力することができる。
【００１１】
制御手段は、入力されたメモデータに関する情報を、メニュー選択操作の際に指定されている画像データに対応付けてもよい。そのような構成によれば、画像データに対応付けるメモデータを入力することができる。
【００１２】
制御手段は、メモデータを削除することを示す情報の入力に応じて、メニュー選択操作の際に指定されている画像データに対応付けられているメモデータをメモデータ記憶手段から削除してもよい。そのような構成によれば、不要になったメモデータをメモデータ記憶手段から削除することができる。
【００１３】
制御手段は、インターネットを介して画像データをダウンロードし、ダウンロードした画像データのＵＲＬをメモデータとしてメモデータ記憶手段に記憶させてもよい。そのような構成によれば、インターネットを介してダウンロードした画像データをもう一度ダウンロードしたい場合、メモデータのＵＲＬを用いて画像データをダウンロードしたサーバに接続すればよく、再度画像データを検索する必要がなくなる。
【００１４】
画像を撮影して画像データを生成する撮影手段を備え、制御手段は、前記撮影手段が生成した画像データを画像データ記憶手段に記憶させてもよい。そのような構成によれば、画像を撮影して携帯通信端末に画像データを記憶させることができる。
【発明の効果】
【００１５】
本発明によれば、携帯通信端末内の記憶手段に、画像データと画像データに関する情報であるメモデータとを対応付けて記憶させるため、画像データの詳細な情報を携帯通信端末に記憶させることができる。
【発明を実施するための最良の形態】
【００１６】
本発明の実施の形態の構成について、図面を参照して説明する。図１は、本発明の実施の形態の一構成例を示すブロック図である。
【００１７】
本発明による携帯電話機（携帯通信端末）１０は、携帯電話機１０の各部を制御する制御部（制御手段）１、通話音声信号や、電子メールを無線信号に変換したり、無線信号を通話音声信号や電子メールに変換したりする無線部２、無線信号を送受信するアンテナ３、情報を表示するＬＣＤ４、画像を撮影するカメラ部（撮影手段）５、携帯電話機１０を動作させるためのプログラムや、ＩＤ情報や電話番号等の携帯電話機１０の固有の情報と、画像と、電子メール等とを記憶するメモリ部（画像データ記憶手段、メモデータ記憶手段）６、およびユーザが携帯電話機１０に情報や指示を入力するキー操作部７を含む。
【００１８】
なお、本実施の形態では、携帯通信端末として携帯電話機１０を例示するが、本発明はこれに限定されるものではなくＰＨＳ端末等であってもよい。
【００１９】
ユーザがキー操作部７を操作して、カメラ部５が画像を撮影して画像データを生成したり、インターネット等を介して画像データをダウンロードしたり、画像データ付き電子メールを受信したりすると、制御部１は、ＬＣＤ４に、画像データを保存するか否かをユーザに選択させる画面を表示させる。ユーザがキー操作部７を操作して、画像データを保存することを選択すると、制御部１は、画像データと、ユーザが画像データを保存することを選択した日時である保存日時とを対応付け、保存日時と画像データとを含むファイルである画像ファイルを生成し、自動的に画像ファイル名を生成してメモリ部６に記憶させる。具体的には、画像ファイルは、保存日時と画像データとを記憶しているメモリ部６内のそれぞれの位置を示す情報である。
【００２０】
ユーザがキー操作部７を操作して、画像データに関する情報であるメモデータを入力することを選択すると、制御部１は、ＬＣＤ４にメモデータの入力画面を表示させる。そして、ユーザがキー操作部７を操作してメモデータを入力すると、制御部１は、メモリ部６が記憶している画像データに対応付けてメモデータをメモリ部６に記憶させる。具体的には、制御部１は、画像ファイルに、メモデータを記憶しているメモリ部６内の位置を示す情報であるインデックスを付加し、メモリ部６内のインデックスの位置にメモデータを記憶させる。図２は、メモリ部６の構成を示す説明図である。図２に示す例では、「画像ファイル００１」にインデックス「メモデータ１」が付加され、メモリ部６内のインデックス「メモデータ１」にメモデータ１の内容が記憶されていることがわかる。
【００２１】
また、ユーザがキー操作部７を操作して、メモデータを削除することを選択すると、制御部１は、ＬＣＤ４にメモデータを削除するか否かをユーザに選択させる画面を表示させる。そして、ユーザがキー操作部７を操作してメモデータを削除することを選択すると、制御部１は、メモリ部６が記憶している画像データに対応付けられているメモデータを削除する。具体的には、図２に示す例において、「画像ファイル００１」のメモデータを削除する場合、制御部１は、メモリ部６内のインデックス「メモデータ１」に記憶している内容を削除する。
【００２２】
制御部１は、例えば、ＣＰＵ（Ｃｅｎｔｒａｌ  Ｐｒｏｃｅｓｓｉｎｇ  Ｕｎｉｔ）によって実現される。カメラ部５は、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の光電変換素子によって実現される。メモリ部６は、例えば、ＲＯＭ（Ｒｅａｄ  Ｏｎｌｙ  Ｍｅｍｏｒｙ）と、フラッシュＲＡＭ（Ｒａｎｄｏｍ  Ａｃｃｅｓｓ  Ｍｅｍｏｒｙ）とによって実現される。
【００２３】
図３は、本発明による携帯電話機１０の外観例を示す図である。本発明による携帯電話機１０は、図２に示すようなＬＣＤ４とキー操作部７との間を折り畳む折り畳み型携帯電話機に限定されるものではなく、ＬＣＤ４とキー操作部７とが一体の筐体である携帯電話機やその他の形態の携帯電話機やＰＨＳ端末であってもよい。
【００２４】
次に、本発明の実施の形態の動作について説明する。図４は、本発明の実施の形態の動作を説明するフローチャートである。
【００２５】
ユーザがキー操作部７を操作して、制御部１に、メモリ部６が記憶している画像ファイルの画像ファイル名の一覧をＬＣＤ４に表示させる（ステップＳ１０１）。図５は、ＬＣＤ４に表示させる画面の表示例である。図５に示す例では、メモリ部６に、画像ファイルが３個記憶されている。
【００２６】
ユーザがキー操作部７を操作して、例えば、「画像ファイル００１」という画像ファイルのサブメニューを表示させることを選択すると（ステップＳ１０２）、制御部１は、ＬＣＤ４に、サブメニューの選択画面を表示させる（ステップＳ１０３）。サブメニューでは、ユーザがキー操作部７を操作して、「画像ファイル００１」という画像ファイルで対応付けられてメモリ部６に記憶されている情報の操作を選択することができる。
【００２７】
ユーザがキー操作部７を操作して、「メモ帳」を選択すると（ステップＳ１０４）、制御部１は、「メモ帳」の記入を行なうのか、それとも「メモ帳」の削除を行なうのかをユーザに選択させる画面をＬＣＤ４に表示させる（ステップＳ１０５）。ここで、制御部１は、各メモデータを、例えば、「メモ帳」としてＬＣＤ４に表示させるものとする。ユーザがキー操作部７を操作して、「メモ帳」の記入を行なうことを選択すると、制御部１は、メモデータの入力と、メモデータの入力の終了の選択とを行なう画面をＬＣＤ４に表示させる。ユーザはキー操作部７を操作して、メモデータの入力を行なう（ステップＳ１０６）。
【００２８】
ユーザがキー操作部７を操作して、メモデータの入力の終了を選択すると、制御部１は、ユーザにメモデータを保存するか否かを選択させる画面を、ＬＣＤ４に表示させる（ステップＳ１０７）。ユーザがキー操作部７を操作して、メモデータの保存を選択すると、制御部１は、メモデータをメモリ部６に記憶させ、メモデータを記憶させたメモリ部６内の位置の情報を「画像ファイル００１」という画像ファイルに付加する（ステップＳ１０８）。ユーザがキー操作部７を操作して、メモデータを保存しないことを選択すると、制御部１は、ステップＳ１０３に戻り、サブメニューの選択画面をＬＣＤ４に表示させる。
【００２９】
ステップＳ１０５において、ユーザがキー操作部７を操作して、「メモ帳」の削除を行なうことを選択すると、制御部１は、「メモ帳」を削除してよいか否かをユーザに選択させる画面をＬＣＤ４に表示させる（ステップＳ１０９）。ユーザがキー操作部７を操作して、「メモ帳」の削除を行なうことを選択すると、制御部１は、「画像ファイル００１」に付加されているメモデータを記憶しているメモリ部６内の位置の情報と、メモデータを記憶しているメモリ部６内の位置に記憶している情報とを削除する（ステップＳ１１０）。ユーザがキー操作部７を操作して、「メモ帳」の削除を行なわないことを選択すると、ステップＳ１０１に戻り、制御部１は、メモリ部６が記憶している画像ファイルの画像ファイル名の一覧をＬＣＤ４に表示させる。
【００３０】
なお、制御部１は、メモデータをＬＣＤ４に表示させる場合、例えば、画像ファイルの画像データをＬＣＤ４の上半分に表示させて、ＬＣＤ４の下半分にメモデータの内容を表示させてもよいし、画像ファイルの画像データとメモデータの内容とを、重畳させてＬＣＤ４に表示させてもよい。
【００３１】
以上、述べたように、この実施の形態によれば、画像データに関する情報を、画像データに対応付けてメモリ部６に記憶させるため、例えば、カメラ部５が撮影した画像であれば、撮影場所等のユーザの意思に沿った情報をメモリ部６に記憶させることができる。また、メモデータとしてその日の出来事をメモリ部６記憶させることによって、絵日記としても使用することができる。
【００３２】
なお、制御部１は、インターネットを介してサーバからダウンロードして保存した画像データのメモデータとして、ＵＲＬ（Ｕｎｉｆｏｒｍ  Ｒｅｓｏｕｒｃｅ  Ｌｏｃａｔｏｒｓ）をメモリ部６に記憶させてもよい。すると、ユーザが、再度画像データを検索するために要する時間を削減することができる。
【産業上の利用可能性】
【００３３】
携帯電話機が保存する画像データに関する情報を、画像データに対応付けて携帯電話機に保存することができる。
【図面の簡単な説明】
【００３４】
【図１】本発明の実施の形態の一構成例を示すブロック図である。
【図２】メモリ部の構成を示す説明図である。
【図３】本発明による携帯電話機の外観例を示す図である。
【図４】本発明の実施の形態の動作を説明するフローチャートである。
【図５】ＬＣＤに表示させる画面の表示例を示す図である。
【符号の説明】
【００３５】
１  制御部
２  無線部
３  アンテナ
４  ＬＣＤ
５  カメラ部
６  メモリ部
７  キー操作部
１０  携帯電話機
【図１】
2005252373.tif 000003
【図２】
2005252373.tif 000004
【図３】
2005252373.tif 000005
【図４】
2005252373.tif 000006
【図５】
2005252373.tif 000007